(57)【要約】【課題】トリガ系が独自に適正であること。【解決手段】本体１と、本体１に回転自在に支持される能動レバー４と、本体１に支持される第１軸１４と、第１軸１４に回転自在に支持され能動レバー４に連動する第１従動レバー１２と、本体１に支持される第２軸１５と、第２軸１５に回転自在に支持され第１従動レバー１２に対する噛み合いが解放され回転する第２従動レバー１３と、本体１に支持される撃鉄受け１７とから構成されている。第１従動レバー１２の動作端部は、第２従動レバー１３の動作端部に噛み合っている。第２従動レバー１３の動作端部の一部は撃鉄を形成し、その撃鉄は撃鉄受け１７に回転的に激突する。撃鉄の動作は、競技用銃として必須である。撃鉄は、従動レバー５の一部として形成され、撃鉄は能動レバーと独立に形成されないので、撃鉄を別個に設ける実弾銃に比べて、構造が簡素化され軽量化され、光銃にに適正であるトリガ構造が実現する。【選択図】　　　　　図１
2004012051.tif 000002
【特許請求の範囲】
【請求項１】
本体と、
前記本体に回転自在に支持される能動レバーと、
前記本体に支持される第１軸と、
前記第１軸に回転自在に支持され前記能動レバーに連動する第１従動レバーと、
前記本体に支持される第２軸と、
前記第２軸に回転自在に支持され前記第１従動レバーに対する噛み合いが解放され回転する第２従動レバーと、
前記本体に支持される撃鉄受けとを具え、
前記第１従動レバーの動作端部と前記第２従動レバーの動作端部とが噛み合い、
前記第２従動レバーの前記動作端部の一部は撃鉄を形成し、前記撃鉄は前記撃鉄受けに回転的に激突する
光銃のトリガ装置。
【請求項２】
前記本体に支持され前記第１従動レバーに噛み合い方向に回転力をバイアスする第１スプリングと、
前記本体に支持され前記第２従動レバーに噛み合い方向に回転力をバイアスする第２スプリングと、
前記本体に支持され前記能動レバーに反噛み合い方向回転力をバイアスする第３スプリング
とを更に具える請求項１の光銃のトリガ装置。
【請求項３】
前記第１スプリングは、前記撃鉄とともに前記本体を構成する筐体の中に隠れている
請求項２の光銃のトリガ装置。
【請求項４】
前記第２スプリングは、前記撃鉄とともに前記本体を構成する筐体の中に隠れている
請求項２又は３の光銃のトリガ装置。
【請求項５】
前記第２スプリングは押し力を有している
請求項２の光銃のトリガ装置。
【請求項６】
前記第１スプリングと前記第２スプリングと前記第３スプリングとは、ともに、押し力を有する
請求項２の光銃のトリガ装置。
【請求項７】
前記第１スプリングのスプリング力は調整自在である
請求項２の光銃のトリガ装置。
【請求項８】
前記第１スプリングのスプリング力は調整自在である
請求項２の光銃のトリガ装置。
【請求項９】
前記第２スプリングのスプリング力は調整自在である
請求項２の光銃のトリガ装置。
【請求項１０】
前記能動レバーのトリガ動作開始前の位置を規定する初期位置規定器と、
前記能動レバーの非動作端部と前記初期位置規定器との間に介設される初期位置調整用螺子とを更に具え、
前記初期位置調整用螺子は前記能動レバーの非動作端部にねじ込まれて前記初期位置規定器にトリガ動作前に突き当たっている
請求項１の光銃のトリガ装置。
【請求項１１】
前記本体に配置され能動側第２レバーの動作方向の回転位置を規定するトリガ動作引き量規定端子
を更に具える請求項９の光銃のトリガ装置。
【請求項１２】
前記初期位置規定器と前記トリガ動作引き量規定端子とは、前記能動レバーの前方と後方とにそれぞれに配置されている
請求項１１の光銃のトリガ装置。
【請求項１３】
前記本体に変位自在に支持され前記第１従動レバーの前記動作端部と反対側に位置する非動作端部に接触して前記非動作端部に対して変位する調整器を更に具える
請求項１の光銃のトリガ装置。
【請求項１４】
指掛かり面を有する引き金と、
前記本体に支持される第３軸とを更に具え、
前記能動レバーは、
前記第３軸に回転自在に支持され前記第１従動レバーに連動する第１能動レバーと、
前記第１能動レバーに同体に結合する第２能動レバーとを備え、
前記引き金は前記第２能動レバーに位置変位自在に取り付けられている
請求項１〜１３から選択される１請求項の光銃のトリガ装置。
【請求項１５】
前記本体に取り付けられる２つの玉軸受を更に具え、
前記第３軸は前記２つの玉軸受に支持されている
請求項１４の光銃のトリガ装置。
【請求項１６】
前記第２能動レバーは、
前記第１能動レバーに同体に結合する固定側第２能動レバーと、
前記固定側第２能動レバーに対して変位する非固定側第２能動レバーとを備え、
前記非固定側第２能動レバーは前記固定側第２能動レバーに対して回転的に２位置で変位する
請求項１４又は１５の光銃のトリガ装置。
【請求項１７】
前記撃鉄受けは位置決めされて前記本体に固着され、前記撃鉄受けは前記撃鉄を受ける受け面を有し、前記受け面は前記撃鉄受けが前記本体に位置決めされることにより前記撃鉄に対して位置決めされる
請求項１〜１６から選択される１請求項の光銃のトリガ装置。
【請求項１８】
前記撃鉄受けは前記本体に対して着脱可能である
請求項１７の光銃のトリガ装置。
【請求項１９】
前記本体は砲身とグリップを固着して取り付けるための複数の固着面を有する
請求項１〜１８から選択される１請求項の光銃のトリガ装置。
【請求項２０】
前記本体に変位可能に支持され前記第２従動レバーを動作方向と反対方向に回転させる戻し器を更に具え、
前記第２従動レバーは前記戻し器に接触する接触部位を有し、前記接触部位は撃鉄の動作方向に一致する回転方向に膨らむ膨らみ部分を有している
請求項１〜１９から選択される１請求項の光銃のトリガ装置。
【請求項２１】
前記本体に変位可能に支持され前記第２従動レバーを動作方向と反対方向に回転させる戻し器を更に具え、
前記戻し器は線形に往復運動する
請求項１〜１９から選択される１請求項の光銃のトリガ装置。
【請求項２２】
前記本体に変位可能に支持され前記第２従動レバーを動作方向と反対方向に回転させる戻し器を更に具え、
前記戻し器は回転的に往復運動する
請求項１〜１９から選択される１請求項の光銃のトリガ装置。
【請求項２３】
前記膨らみ部分には、穴が開けられている
請求項２２の光銃のトリガ装置。
【請求項２４】
前記撃鉄と前記撃鉄受けと前記第１従動レバーの動作端部とは硬い同一材料で形成されている
請求項１〜２３から選択される１請求項の光銃のトリガ装置。
【請求項２５】
前記材料はＳＫＤ４である
請求項１７の光銃のトリガ装置。
【請求項２６】
前記本体はＡｌで形成されている
請求項２５の光銃のトリガ装置。
【請求項２７】
本体と、
前記本体に回転自在に支持される撃鉄と、
前記本体に支持され前記撃鉄を受ける撃鉄受けとを具え、
前記撃鉄受けは前記撃鉄を受ける受け面を有し、前記受け面は前記撃鉄受けが前記本体に位置決めされることにより前記撃鉄に対して位置決めされる
光銃のトリガ装置。
【請求項２８】
前記撃鉄は交換可能である
請求項２７の光銃のトリガ装置。
【請求項２９】
本体と、
本体に変位可能に支持される撃鉄と、
前記撃鉄を受け止める撃鉄受けとを具え、
前記撃鉄受けの受け面は前記撃鉄に対して位置可変である
光銃のトリガ装置。
【発明の詳細な説明】
【０００１】
【発明の属する技術分野】
本発明は、光銃のトリガ装置に関し、特に、部品点数が少なく軽量化され得る光銃のトリガ装置に関する。
【０００２】
【従来の技術】
射撃は、夏期オリンピックの競技種目の一つである。射撃には、ピストルとライフルの２種目がある。警官の射撃訓練の延長である競技の存在は、射撃訓練を有効に促進する。競技と訓練で用いられる銃は、実弾を発射する。実弾使用は、費用と安全性の点で好ましくなく、実弾に代えられて光弾（例示：短いレーザー光ビーム）が用いられることが望ましい。実弾銃から光弾銃に替える場合に、トリガの改変が求められる。
【０００３】
図１９は、実弾銃のトリガ例を示している。図１９は、実弾銃から砲身が除かれた銃部分であるトリガ装置を示している。そのトリガ装置は、グリップ部分１０１とトリガ系固定部分１０２とから構成されている。トリガ系固定部分１０２の底面側部位に配置される基軸１０３に回転自在にトリガ能動部分１０４が取り付けられている。トリガ能動部分１０４は、基軸１０３に回転自在に結合するトリガピン（トリガレバー）１０５と、トリガピン１０５に取り付けられているトリガブレード１０６とから形成されている。トリガ受動部分１０７は、トリガ能動部分１０４に連動して回転動作する。トリガ受動部分１０７は、トリガピン１０５に同体に且つ同軸に回転する第１受動レバー１０８と、第１受動レバー１０８に非同体に連動する第２受動レバー１０９と、第２受動レバー１０９に非同体に連動する第３受動レバー１１０とから構成されている。第２受動レバー１０９と第３受動レバー１１０とは、互いに異なる回転軸に回転自在に支持されている。第３受動レバー１１０と第２受動レバー１０９のそれぞれの局所的部位の上死点的相対的微小角度回転変位に基づいて、第３受動レバー１１０が微小角度で回転変位し、第３受動レバー１１０により制止されていた撃鉄１１２は、その制止を解かれバネ力を受け瞬時的に発進し、撃鉄１１２の激突による火薬の爆発に基づいて弾丸が発射させられる。
【０００４】
図２０は、光銃の１つのタイプであるピストルタイプを示している。ピストルタイプの光銃は、木材のグリップ２０１と、グリップ２０１に取り付けられて支持されている砲身２０２と、グリップ２０１と砲身２０２との間の接合領域に配置されているトリガ（引き金）２０３と、引き金戻しのレバーであるコッキングレバー２０４と、砲身の先頭位置に配置される前方側視準器（フロントサイト）２０５と、後方側視準器（レアサイト）２０６とから構成されている。
【０００５】
ピストルを片手で持ちその腕を延ばして腕の揺れを制止し、視準器２０５，２０６の十字線に射手の視準線を合わして、トリガ２０３を１本の指で引くことにより、突然に、光弾が発射される。引き金２０３は、引き動作の際に程度の適正な反作用を射手の指に与える。引き動作の際の反作用力が弱過ぎる場合には、引き金動作と光弾発射の時間的対応が不明確であり、不用意に光弾が発射されて危険である。引き動作の際の反作用力が強過ぎる場合には、その引き金動作の際に砲身が位置振れして、光弾は視準器の視準線に一致していた標的に当たらない。このような引き金の動作とその反作用力の生成は、実弾銃と光弾銃との間で本質的な相違はない。
【０００６】
射撃手の指、腕（ピストルの場合）、又は、肩（ライフルの場合）には、トリガの瞬間的な力学的変位力に対応する反作用力が作用する。このような反作用力の存在は、射撃訓練の必要性の原因であり、競技性の存在の原因である。
【０００７】
実弾が発射されず光弾の反作用力が実質的に存在しない光銃には、独自のトリガ装置の提供が求められる。競技用としてその装置系の簡素化が望まれる。
【０００８】
【発明が解決しようとする課題】
本発明の課題は、トリガ系が独自に適正である光銃のトリガ装置を提供することにある。
本発明の他の課題は、トリガ系が独自に適正でありその装置系が簡素である光銃のトリガ装置を提供することにある。
【０００９】
【課題を解決するための手段】
その課題を解決するための手段が、下記のように表現される。その表現中に現れる技術的事項には、括弧（）つきで、番号、記号等が添記されている。その番号、記号等は、本発明の実施の複数の形態又は複数の実施例のうちの少なくとも１つの実施の形態又は複数の実施例を構成する技術的事項、特に、その実施の形態又は実施例に対応する図面に表現されている技術的事項に付せられている参照番号、参照記号等に一致している。このような参照番号、参照記号は、請求項記載の技術的事項と実施の形態又は実施例の技術的事項との対応・橋渡しを明確にしている。このような対応・橋渡しは、請求項記載の技術的事項が実施の形態又は実施例の技術的事項に限定されて解釈されることを意味しない。
【００１０】
本発明による光銃のトリガ装置は、本体（１）と、本体（１）に回転自在に支持される能動レバー（４）と、本体（１）に支持される第１軸（１４）と、第１軸（１４）に回転自在に支持され能動レバー（４）に連動する第１従動レバー（１２）と、本体（１）に支持される第２軸（１５）と、第２軸（１５）に回転自在に支持され第１従動レバー（１２）に対する噛み合いが解放され回転する第２従動レバー（１３）と、本体（１）に支持される撃鉄受け（１７）とから構成されている。第１従動レバー（１２）の動作端部は、第２従動レバー（１３）の動作端部に噛み合っている。第２従動レバー（１３）の動作端部の一部は撃鉄を形成し、その撃鉄は撃鉄受け（１７）に回転的に激突する。
【００１１】
撃鉄の動作は、競技用銃として必須である。撃鉄は、従動レバー（５）の一部として形成され、撃鉄は能動レバーと独立に形成されないので、撃鉄を別個に設ける実弾銃に比べて、構造が簡素化され軽量化される。全体が軽量化された銃ではその撃鉄作用により銃全体の振れが大きくなるが、光弾発射の反作用力は実質的に零であり、力学的トリガ動作に連動する光弾の発射は、力学的トリガ動作に連動する電気回路の動作に同時であり、トリガ動作開始時点から光弾発射時点までの間の時間幅にある引き金動作起因の振れが、競技の優劣を決める。撃鉄の運動が競技の優劣に影響する影響度は、実弾射撃に比べて小さい。従って、撃鉄の回転動作が競技に影響する影響度が実弾射撃に比較して小さく、撃鉄を回転させることは、実弾銃に比べて少なくとも１つの部品を減殺することができる。
【００１２】
本体（１）に支持され第１従動レバー（１２）に噛み合い方向に回転力をバイアスする（常態的に付勢する）第１スプリング（１８）と、本体（１）に支持され第２従動レバー（１３）に噛み合い方向に回転力をバイアスする第２スプリング（１６）と、本体（１）に支持され能動レバー（４）に反噛み合い方向に回転力をバイアスする第３スプリング（２２）とが追加される。これらのスプリング（１８，１６，２２）は、トリガ動作の開始前の位置を安定させ、且つ、トリガ動作力を適正に規定して、競技者の好み又は体力に適合させることができる。第２スプリング（１６）は、撃鉄の回転力と衝撃の程度を更に規定する。第２スプリングは、押し力を有している。第１スプリングと第２スプリングと第３スプリングとは、ともに押し力を有している。引張スプリングではなく押圧スプリングを用いることは、本体（１）の中の構造を簡素化して、軽量化を更に促進する。第１スプリング、第２スプリング、第３スプリングのスプリング力は、調整自在であることが重要である。実弾銃と異なり実弾発射の反作用力がなく人工的に擬似的に構造化している撃鉄作用は、実弾銃のそれより小さく、スプリング力は実弾銃のそれより小さい。従って、スプリング力の調整は、光銃では、微妙であることが重要である。これらのスプリング（１６，１８，２２）は、指、髪の毛のような人体構成部分が接触しないように本体（１）の筐体の中に（完全に）に収納され、特に、撃鉄とともに本体（１）の中に収納されることが重要である。これらのスプリング（１６，１８，２２）は、外から見えるように透明樹脂筐体部分を設けることは好ましい。
【００１３】
能動レバー（４）のトリガ動作開始前の位置を規定する初期位置規定器（６２）と、能動レバー（４）の非動作端部と初期位置規定器（６２）との間に介設される初期位置調整用螺子（６１）が更に追加される。初期位置調整用螺子（６１）は能動レバー（４）の非動作端部にねじ込まれて初期位置規定器（６２）にトリガ動作前に突き当たっている。初期位置規定器（６２）と初期位置調整用螺子（６１）は、トリガ動作開始位置とトリガ動作完了位置との間の移動量を規定し、又は、トリガ動作開始時点とトリガ動作完了時点との間の時間幅を安定化し、競技者の競技能力に顕著に影響し、競技の優劣を増大させる重大な部品であり、競技者の指の長さ又は手の形に合わせることができる。
【００１４】
本体（１）に変位自在に支持され第１従動レバー（１２）の動作端部と反対側に位置する非動作端部に接触して非動作端部に対して変位する調整器（２１）が更に追加される。調整器（２１）は、第１従動レバー（１２）と第２従動レバー（１３）との間の噛合い幅（シアー量）を決定する重要な部品である。この量は、命中精度に強く関係し、競技者の運動能力に対応する最適正幅として存在し、競技者により調整されることが重要である。このような位置調整と既述のスプリング力調整とを同時的に行うことは、光銃にとって重要である。
【００１５】
本体（１）に配置され能動側第２レバー（８）の動作方向の回転位置を規定するトリガ動作引き量規定端子（６３）の追加はより好ましい。トリガ動作開始位置とトリガ動作終了位置の両位置の規定は、競技者に射撃動作の全プロセスを明確に認識させ、光弾発射を確実に競技者に認識させ、特に、撃鉄音の発生の前にその光弾発射を競技者に確実に認識させる。初期位置規定器（６２）とトリガ動作引き量規定端子（６３）とを能動レバーの前方と後方とにそれぞれに配置することは視覚的に効果的である。両調整器具（６１，６２）の存在位置が引き金（７）の前後にあり、競技者の調整目的と調整器具との対応を間違えることをより確実に回避することができる。本体（１）に変位自在に支持され第１従動レバー（１２）の動作端部と反対側に位置する非動作端部に接触してその非動作端部に対して変位する調整器（２１）は、他の調整器又は規定器（６１，６３）との組合せにより、トリガー動作の確実性を高くすることができる。
【００１６】
引き金（７）には、指掛かり面（９）が形成されている。本体（１）に支持される第３軸（２）は、必須的に追加される。能動レバー（４）は、第３軸（２）に回転自在に支持され第１従動レバー（１２）に連動する第１能動レバー（８）と、第１能動レバー（８）に同体に結合して第３軸（２）のまわりに回転する第２能動レバー（６）とから形成されている。引き金（７）は、第２能動レバー（６）に位置変位自在に取り付けられている。引き金（７）の変位位置は、競技者の個性に合わせられ、又は、銃の種類により選択される。第２能動レバー（６）は、第１能動レバー（８）に対して半径方向に変位自在であることは引き金の引き動作を競技者の肉体的個性に適合させることができる点で、顕著に重要である。引き金（７）が第２能動レバー（６）に同体化される位置が半径方向に可変であることは、更に顕著に重要である。
【００１７】
本体（１）に取り付けられる２つの玉軸受（２６）が追加される。第３軸（２）は２つの玉軸受（２６）に支持されている。第１能動レバー（８）の円滑な回転は極めて大事である。第２能動レバー（６）は、第４軸（２）に固定される固定側第２能動レバー（６−１）と、固定側第２能動レバー（６−１）に対して変位する非固定側第２能動レバー（６−２）とから構成されている。非固定側第２能動レバー（６−２）は、固定側第２能動レバー（６−１）に対して回転的に２位置で変位する。非固定側第２能動レバー（６−２）のこのような回転は、銃の種類に対応して選択される。
【００１８】
撃鉄受け（１７）は、位置決めされて本体（１）に固着され、撃鉄受け（１７）は撃鉄を受ける受け面を有し、その受け面は撃鉄受け（１７）が本体（１）に位置決めされることにより撃鉄（１３）に対して位置決めされる。撃鉄受け（１７）は本体（１）に対して着脱可能であることが好ましい。撃鉄受け（１７）の着脱による交換は、その受け面の位置を変更し、衝撃の大きさを調整することができる。
【００１９】
本体（１）は、砲身とグリップを固着して取り付けるための複数の固着面を有する。本体（１）に変位可能に支持され第２従動レバー（１３）を動作方向と反対方向に回転させる戻し器（５１）が追加される。第２従動レバー（１３）は戻し器（５１）に接触する接触部位を有し、その接触部位は撃鉄（１３）の動作方向に一致する回転方向に膨らむ。接触部位に穴（５４）が開けられている。光銃は、軽いことが望ましい。撃鉄（１３）と撃鉄受け（１７）と第１従動レバー（１２）の動作端部とは、互いに磨耗しあうことを抑制されるように、硬い同一材料で形成され、ＳＫＤ４が最適である。本体（１）は、その軽量化のためにＡｌで形成されることが好ましい。
【００２０】
本発明による光銃のトリガ装置は、本体（１）と、本体（１）に回転自在に支持される撃鉄（１３）と、本体（１）に支持され撃鉄（１３）を受ける撃鉄受け（１７）とから構成されている。撃鉄受け（１７）は撃鉄（１３）を受ける受け面を有し、その受け面は撃鉄受け（１７）が本体（１）に位置決めされることにより撃鉄（１３）に対して位置決めされる。回転的動作の結果として生じる激突の位置決めは、厳密に行われることが重要である。従って、撃鉄は交換可能であることが重要である。
【００２１】
本発明による光銃のトリガ装置は、本体（１）と、本体（１）に変位可能に支持される撃鉄（１３）と、撃鉄（１３）を受け止める撃鉄受け（１７）とから構成され、撃鉄受け（１７）の受け面は撃鉄に対して位置可変である。
【００２２】
【発明の実施の形態】
図に対応して、本発明による光銃のトリガ装置の実施の形態は、トリガ系が撃鉄動作系とともに本体部分に配置されている。その本体部分は、図１に示されるように、トリガ系固定部分１を構成している。トリガ系固定部分１は、それの一部分として第１軸２を形成している。そのトリガ系３は、トリガ能動部分４とトリガ受動部分５とから構成されている。
【００２３】
トリガ能動部分４は、第１軸２に回転自在に結合する能動側第１レバー６と、能動側第１レバー６に可動的に支持されて固定されるトリガブレード７と、能動側第１レバー６に同体に結合して同体的に回転変位する能動側第２レバー８とから形成されている。トリガブレード７は、指掛かり面９を有している。能動側第１レバー６は、能動側第２レバー８に摺動的に変位可能であり、能動側第１レバー６と能動側第２レバー８との結合点の第１軸２に対する回転半径は、可変である。能動側第１レバー６と能動側第２レバー８との結合点の位置は、ボルト１１により固定される。
【００２４】
トリガ受動部分５は、トリガ能動部分４に非同体的に連動して回転動作する。トリガ受動部分５は、第１受動側レバー１２と、第１受動側レバー１２に非同体的に連動する第２受動側レバー１３とから構成されている。第１受動側レバー１２と第２受動側レバー１３とは、互いに異なる回転軸に回転自在に支持されている。第１受動側レバー１２は、第２軸１４に回転変位自在に支持されている。
【００２５】
第２軸１４は、トリガ系固定部分１に固定されて設けられている。第２受動側レバー１３は、第３軸１５に回転変位自在に支持されている。第３軸１５は、トリガ系固定部分１に固定されて設けられている。能動側第２レバー８は、その局所的突起部位１０（図２参照）を介して第１受動側レバー１２に接触し、第１受動側レバー１２は非同体的に回転的に能動側第２レバー８に連動して回転する。
【００２６】
第１受動側レバー１２の動作端部と第２受動側レバー１３の動作端部のそれぞれの局所的部位の上死点的相対的微小角度回転変位に基づいて、第１受動側レバー１２が微小角度で回転変位し、第１受動側レバー１２により制止されていた第２受動側レバー１３は、その制止を解かれバネ力を受け瞬時的に回転変位する。第２受動側レバー１３は、そのもの又はそのものの一部分が回転的撃鉄を構成している。第１受動側レバー１２の動作端部の端点は第１先端点又は第１先端局所領域Ｐとして形成され、第２受動側レバー１３の動作端部の端点は第２先端点又は第２先端局所領域Ｑとして形成されている。
【００２７】
トリガ動作の始動前には、第１先端点Ｐと第２先端点Ｑとは、互いに噛み合う関係を有し、同一点又は同一点領域に存在しているが、第１受動側レバー１２と第２受動側レバー１３とが相対的に規定回転方向に微小角度で回転すれば、第１先端点Ｐと第２先端点Ｑとは、その噛み合い関係が解消されて、互いに異なる位置点に微小移動して互いに離隔する。ここで、第１受動側レバー１２のその規定回転方向は時計方向であり、第２受動側レバー１３のその規定回転方向は反時計方向である。
【００２８】
第２受動側レバー１３の反時計方向の回転を推進する推進力は、トリガバネ１６により、第２受動側レバー１３の非動作側の一端を押す向きに作用する。このような推進力は、トリガバネ１６の上方に（支持側に）圧力をかけるバネ力調整部材であるバネ力調整ネジ（図示されず）により調整され、又は、バネ力が異なるトリガバネ１６の交換により調整され得る。このようなトリガバネ力の変更は、第２受動側レバー１３が撃鉄受けストッパ１７に当たるまでの速さと強さを調整することができる。トリガバネ１６の一端部位はトリガ系固定部分１に固着され、トリガバネ１６の他端部位は第２受動側レバー１３の非動作側レバーの外側寄り部位に固着されている。第２受動側レバー１３の動作側レバーの動作端部が反時計回転方向に向かう位置には、撃鉄受けストッパ１７がトリガ系固定部分１に配置されて設けられている。
【００２９】
指掛かり面９に面接合する指が射手の身体側に引かれてトリガブレード７が引き戻され、能動側第１レバー６が反時計方向に回転すれば、第１先端点Ｐと第２先端点Ｑの既述の噛み合いが解消されて、第２受動側レバー１３は、第１受動側レバー１２から受けていた回転制止力から開放され、トリガバネ１６のバネ力に相当するトリガ力を受けて瞬時的に反時計方向に回転し、第２受動側レバー１３の動作端部が撃鉄として、トリガ系固定部分１の上方に設けられた撃鉄受けストッパ１７の下面に激突する。このように、第２受動側レバー１３は、回転的撃鉄を形成している。
【００３０】
第１受動側レバー１２には、反時計方向回転力（反トリガ力）がバイアス回転力として常時に与えられている。第１受動側レバー１２にバイアス回転力を与えるために、バイアス回転力付勢バネ１８がトリガ系固定部分１に装備されている。バイアス回転力付勢バネ１８の一端部位はトリガ系固定部分１に支持され、バイアス回転力付勢バネ１８の他端部位は第１受動側レバー１２の非動作端部１９を押すように押し力を与えて支持されている。引きバネは、常態的に引きバネ取り付け部材に押圧力を及ぼすが、押しバネはその両端が動作対象相手と筐体の溝又は穴に収納され、押しバネによる部材の破壊を回避することができる。プログラミング異端引張しバイアス回転力付勢バネ１８は、能動側第２レバー８の動作に反発する力を反時計方向回転力として第１受動側レバー１２に与えている。バイアス回転力付勢バネ１８のバイアス回転力の調整は、バイアス回転力付勢バネ１８の基端側を押しながらそのバネ長を変化させる部材が追加されることが好ましい。そのような部材として、トリガ系固定部分１に回転自在に支持されるハンドルに連動しバネ軸方向に直線状に運動してバイアス回転力付勢バネ１８の基端側の位置を変化させる押し棒が好適に例示される。
【００３１】
動作開始前の第１受動側レバー１２の第１先端点Ｐの初期的位置点は、初期位置調整螺子２１により位置調整される。初期位置調整螺子２１は、トリガ系固定部分１にねじ込まれてトリガ系固定部分１の適正部位に配置されている。初期位置調整螺子２１を右まわりに回転させると、初期位置調整螺子２１は非動作端部１９に向かって前進し、第１受動側レバー１２は時計方向に回転する。初期位置調整螺子２１の右まわり量が一定値以上であれば、第１先端点Ｐは第２先端点Ｑから外れ、第２受動側レバー１３は第１受動側レバー１２から自由に開放される。
【００３２】
初期位置調整螺子２１を左まわりに回転させると、初期位置調整螺子２１はバイアス回転力付勢バネ１８の力を受けて非動作端部１９に対して後退し、第１受動側レバー１２は反時計方向に回転する。初期位置調整螺子２１の左まわり量がより大きい場合には、第１先端点Ｐは第２先端点Ｑより更に半径方向内側に向かって前進し、第１受動側レバー１２と第２受動側レバー１３の噛み込み量（シアー量）は更に大きくなる。初期位置調整螺子２１の正負の回転量を調整することにより、トリガブレード７の後退力量の微妙な関係を微妙に調整することができる。トリガ能動部分４の動作力は、トリガ能動部分４の一端部を押すように配置されている調整バネ２２により調整される。調整バネ２２の動作力は、トリガ動作力に影響し、初期位置調整用螺子６１が初期位置規定器６２に突き当たってトリガ動作開始前の初期位置に能動側第１レバー６を安定化させる安定化力を能動側第１レバー６に与える。トリガバネ１６、バイアス回転力付勢バネ１８、調整バネ２２の調整部は砲身又はグリップを取り付けた後に調整することができるように配置されていることが好ましい。そのような配置により、トリガの感触を確かめながら調整することができる。
【００３３】
図２は、トリガ能動部分４の銃モード切替を示している。能動側第１レバー６は、基体側能動側第１レバー６−１と自由側能動側第１レバー６−２とから構成されている。自由側能動側第１レバー６−２は、切替用軸２３を介して基体側能動側第１レバー６−１に回転可能に結合している。基体側能動側第１レバー６−１には、自由側能動側第１レバー６−２に対向する第１面２４が形成されている。第１面２４としては、平面又は僅かに与えられている曲率を持つ球面が適正である。
【００３４】
自由側能動側第１レバー６−２には、基体側能動側第１レバー６−１に対向する第２面２５が形成されている。第２面２５は、第１傾斜面２５−１と第２傾斜面２５−２の複合が適正である。第１傾斜面２５−１と第２傾斜面２５−２は、既述の球面に合致する球面として形成され得る。第１傾斜面２５−１と第２傾斜面２５−２は、切替用軸２３を中心とする回転の方向に互いに離隔し、第１傾斜面２５−１は規定角度に回転して第２傾斜面２５−２に重なる。
【００３５】
自由側能動側第１レバー６−２が基体側能動側第１レバー６−１に対して無理に強力に回転させられることにより、自由側能動側第１レバー６−２は、第１傾斜面２５−１が第１面２４に接合する第１位置と第２傾斜面２５−２が第１面２４に接合する第２位回転位置に変位することができる。自由側能動側第１レバー６−２が図２に示される第２回転位置に位置する光銃はピストルとして使用され、自由側能動側第１レバー６−２が図３に示される第１回転位置に位置する光銃はライフルとして使用される。切替用軸２３がボルトで形成され、そのボルトで自由側能動側第１レバー６−２を基体側能動側第１レバー６−１に固着されれば、第１位置と第２位置はそれぞれに安定化する。このような２位置切替は、無理矢理の回転に限られず、自由回転の後のボルト締めに代えられる。
【００３６】
図４と図５は、トリガ能動部分４の他の銃モード切替を示している。図４に示される能動側第１レバー６はピストル専用タイプに形状化され、図５に示される能動側第１レバー６はライフル専用タイプに形状化されている。ピストル専用タイプの能動側第１レバー６とライフル専用タイプの能動側第１レバー６とは、それぞれに０１１に対して着脱自在である。ライフル専用タイプの能動側第１レバー６は、それの固定的装着時に、砲身（図示されず）の軸心線（光弾のビーム方向に一致）に直交する方向に短く延びている。ピストル専用タイプの能動側第１レバー６は、それの固定的装着時に、砲身の軸心線に対して先端側（下端側）が射手の身体側に近く寄るように斜めに長く延びている。
【００３７】
図６は、第１軸２の中心軸心線を含み砲身の軸心線に直交する平面でトリガ系固定部分１を切断した断面図であり、トリガ系固定部分１と第１軸２との結合関係を示している。トリガ系固定部分１は、図６の断面位置では、両側壁形成筐体として形成されている。その両側壁形成筐体の両側の壁の２つの対向面の間に、第１受動側レバー１２と第２受動側レバー１３が装着されている。能動側第２レバー８は、その円筒部分が図６に現れている。第１軸２に支持されている能動側第２レバー８のその円筒部分は、トリガ系固定部分１の両側の壁の下端面として形成されている半円筒面に回転摺動的に支持されている。第１軸２は、能動側第２レバー８のその円筒部分に同軸的に圧入されて、能動側第２レバー８に同体化されている。両側壁形成筐体の両側の壁に、それぞれに、２つの玉軸受２６が嵌め込まれて固定されている。第１軸２の両端部位は、２つの玉軸受２６に回転自在に支持されている。能動側第２レバー８は、第１軸２と同体にトリガ系固定部分１に対して軽く回転することができる。
【００３８】
図７は、第２受動側レバー１３が撃鉄受けストッパ１７に激突した瞬間の第２受動側レバー１３と撃鉄受けストッパ１７の位置関係を示している。撃鉄受けストッパ１７は、図８に示されるように、トリガ系固定部分１の上端面側に形成される穴に嵌め込まれている。撃鉄受けストッパ１７の上端面側に、ボルト頭が入り込む２つのボルト頭嵌合穴２７が図９に示されるように形成され、その２つのボルト頭嵌合穴の底面から更に下側（第２受動側レバー１３の既述の動作端部に向かう側）に延びるねじ穴２８が形成されている。ボルト（図示されず）が２つのねじ穴２８にねじ込まれて、撃鉄受けストッパ１７はトリガ系固定部分１に強固に固着される。
【００３９】
撃鉄受けストッパ１７は、図１０に示されるように、撃鉄受けストッパ本体部分２９を構成している。撃鉄受けストッパ本体部分２９は、砲身の軸心線に直交する方向に中央部位に位置している。撃鉄受けストッパ本体部分２９は、円柱体又は四角中体に形成されている。第２受動側レバー１３の既述の動作端部の上面は、撃鉄受けストッパ本体部分２９の下端面に激しく衝突する。
【００４０】
図１０に示される撃鉄受けストッパ本体部分２９の長さａが調整自在であるように、削ることが可能であり、又は、撃鉄受けストッパ１７は複数通りが製作されて用意されている。トリガ系固定部分１に対して着脱自在である撃鉄受けストッパ１７を取り換えてトリガ系固定部分１に装着することにより、第２受動側レバー１３の動作端部の衝突面と撃鉄受けストッパ本体部分２９の下端面である衝突面との間の初期的距離（トリガ動作開始前の距離）が調整され得る。その長さａを調整することにより、トリガ動作時の衝撃力の大きさと衝撃音の大きさを調整することができる。撃鉄受けストッパ１７は、撃鉄受けストッパ本体部分２９と頭部３０とを形成し、頭部３０の下端面（頭部３０を支持するトリガ系固定部分１の支持面に直接に接合する支持面）は、撃鉄受けストッパ本体部分２９の下端面（撃鉄を受ける面）を位置決めする。
【００４１】
図１１は、トリガ系固定部分１を用いる組立方法を示している。トリガ系固定部分１は、基本ユニットとして組立体を構成する。基本ユニット１には、砲身ユニット３１が取り付けられて組立られる。基本ユニット１の前方領域には複数の第１結合穴３２が配置されて開けられている。砲身ユニット３１の後方領域には複数の第２結合穴３３が配置されて開けられている。第１結合穴３２と第２結合穴３３が位置的に一致するまで、砲身ユニット３１の後方部分が基本ユニット１の前方部分に対して嵌まり込む。第１結合穴３２と第２結合穴３３のうちのいずれかはねじ穴である。第１結合穴３２と第２結合穴３３にねじが通されてねじ込まれて、砲身ユニット３１は基本ユニット１に結合する。
【００４２】
図１２は、基本ユニット１と砲身ユニット３１とが結合して組み立てられた組立基本体３４を示している。組立基本体３４は、ライフルとピストルとのために共用される。組立基本体３４の前方領域即ち砲身ユニット３１の前方領域には、複数の第３結合穴３５が配置されて開けられている。
【００４３】
図１３は、ピストル用フロントサイト３６を示している。ピストル用フロントサイト３６の後方領域には、複数の第４結合穴３７が配置されて開けられている。第３結合穴３５と第４結合穴３７が位置的に一致するまで、ピストル用フロントサイト３６の後方部分が組立基本体３４（又は砲身ユニット３１）の前方部分に対して嵌まり込む。第３結合穴３５と第４結合穴３７のうちのいずれかはねじ穴である。第３結合穴３５と第４結合穴３７にねじが通されてねじ込まれて、ピストル用フロントサイト３６は組立基本体３４に結合する。図１４は、組立基本体３４とピストル用フロントサイト３６とが結合して組み立てられたピストルを示している（更に化粧体が付加されている。）。
【００４４】
図１５は、ライフル用延長砲身３８を示している。ライフル用延長砲身３８の後方領域には、複数の第５結合穴３９が配置されて開けられている。第５結合穴３９と組立基本体３４の第３結合穴３５が位置的に一致するまで、ライフル用延長砲身３８の後方部分が組立基本体３４の前方部分に対して嵌まり込む。第５結合穴３９と第３結合穴３５のうちのいずれかはねじ穴である。第５結合穴３９と第３結合穴３５にねじが通されてねじ込まれて、ライフル用延長砲身３８は組立基本体３４に結合する。
【００４５】
図１６は、ライフル用フロントサイト４１を示している。ライフル用延長砲身３８の前方領域には、第６結合穴４２が配置されて開けられている。ライフル用フロントサイト４１の後方領域には、複数の第７結合穴４３が配置されて開けられている。第７結合穴４３とライフル用延長砲身３８の第６結合穴４２が位置的に一致するまで、ライフル用フロントサイト４１の後方部分がライフル用延長砲身３８の前方部分に対して嵌まり込む。第７結合穴４３と第６結合穴４２のうちのいずれかはねじ穴である。第７結合穴４３と第６結合穴４２にねじが通されてねじ込まれて、ライフル用フロントサイト４１はライフル用延長砲身３８に結合する。図１７は、ライフル用フロントサイト４１とライフル用延長砲身３８とが組立基本体３４に結合して組み立てられたライフルを示している（更に化粧体４４とグリップ４５とが付加されている。）。
【００４６】
図１４に示されるように、赤外線受光器４６が、組立基本体３４の前方領域に位置されて設けられている。赤外線受光器４６は、標的側から放射される赤外線デジタル信号を受信する。その赤外線デジタル信号は、標的と光銃との対応のための信号である。赤外線受光器４６は、ライフル用延長砲身３８に設けられている。
【００４７】
図１８は、各部位の材料を示している。
本体１：Ａｌ
能動側第１レバー６：ＳＵＭ２４Ｌ
トリガブレード７：Ａｌ
能動側第２レバー８：Ａｌ
第１受動側レバー１２：ＳＫＤ４
第２受動側レバー１３：ＳＫＤ４
撃鉄受けストッパ１７：ＳＫＤ４
【００４８】
本体は、軽量化のために軽い金属（例示：Ａｌ）が好適であり、互いに摩擦接触して滑動し摺動する第１受動側レバー１２と第２受動側レバー１３とは、硬くて同じ材料であることが好ましく、合金工具鋼のＳＫＤ４が好適である。互いに激突する第２受動側レバー１３と撃鉄受けストッパ１７は、硬くて同じ材料であることが好ましく、ＳＫＤ４が好適である。ＳＫＤ４は、加工性と焼き入れ処理性の点で優れ、焼き入れ後の硬さの点で最適である。能動側第１レバー６の材料としては、強度と加工性の点で優れているＳＵＭ２４が好適である。
【００４９】
図１に示される部品５１は、本体に設けられている案内溝５２の前方から後方に水平方向に案内されて動作後に人為的に引き戻される戻し器である。後退する戻し器５１は、図１８に示されるように第１受動側レバー１２から離脱している第２受動側レバー１３の膨らみ部分５３を時計方向に押し下げて回転させる。時計方向に回転する第２受動側レバー１３の動作端部は、第１受動側レバー１２に接触して、第１受動側レバー１２の動作端部を時計方向に回転させる。戻し器は、回転的に動作するように改変される。この場合には、回転する戻し器は、第２受動側レバー１３の膨らみ部分５３を時計方向に押し下げて回転させることになる。
【００５０】
第１受動側レバー１２を反時計方向に回転させるバネ作用と第２受動側レバー１３を反時計方向に回転させるバネ作用とにより、第１受動側レバー１２は第２受動側レバー１３に規定された位置で図１に示される元の相対的回転位置（射撃前位置）に互いに戻って噛み合う。膨らみ部分５３に穴５４を開けることは重要である。バネ１６で押されて回転モーメントを受ける第２受動側レバー１３の回転加速度の時間的上昇率が増大し、第２受動側レバー１３の動作部位である撃鉄が撃鉄受けストッパ１７に激突するまでの間の時間がより短くより高速に激突し、短い距離の加速に基づく衝撃がより大きくなる。
【００５１】
図１に示される部品６１は、能動側第２レバー８の非動作端部にねじ込まれている初期位置調整用螺子である。トリガ系固定部分１に、初期位置規定器６２が強固に取り付けられている。初期位置調整用螺子６１の右螺子回転は、能動側第２レバー８の非動作端部を反時計方向に回転させ、それの左螺子回転は、能動側第２レバー８の非動作端部を時計方向に回転させる。能動側第２レバー８のこのような回転は、能動側第１レバー６の動作開始位置を決定する。
【００５２】
図１に示される部品６３は、能動側第２レバー８の反時計方向の回転位置を規定するトリガ動作引き量規定端子である。能動側第１レバー６の後退量は、能動側第２レバー８の動作側端部にねじ込まれている引き量調整螺子６４の回転によるねじ込み量により規定される。更には、能動側第１レバー６の移動量である開始位置と終了位置の調整を能動側第１レバー６を挟んで能動側第２レバー８の両側に配置することにより、視覚的に調整を指示する箇所と調整がなされる箇所の関係を分かりやすくすることができる。
【００５３】
複数のスプリング１６，１８，２３は、本体を形成する筐体の中に収納することができる。頑丈に作られる実弾銃は、その軽量化のために穴が開けられ、撃鉄が運動する周囲は穴が開けられ、そこにスプリングが露出しているが、本発明による光銃の本体１は、軽く形成され、スプリングを筐体の中に完全に収納し、人体はスプリングに接触せず、且つ、人体は撃鉄に接触しない。
【００５４】
【発明の効果】
本発明による光銃のトリガ装置は、撃鉄を回転化してトリガ系の構造を簡素化し、発射までのトリガ動作を改善することができ、且つ、実弾銃の撃鉄を削除することにより、軽量化を実現することができる。
【図面の簡単な説明】
【図１】図１は、本発明による光銃のトリガ装置の実施の形態を示す正面断面図である。
【図２】図２は、図１の一部の状態を示す正面図である。
【図３】図３は、図１の一部の他の状態を示す正面図である。
【図４】図４は、図１の一部の更に他の状態を示す正面図である。
【図５】図５は、図１の一部の更に他の状態を示す正面図である。
【図６】図６は、図１の一部を示す側面断面図である。
【図７】図７は、本発明による光銃のトリガ装置の実施の他の形態を示す正面断面図である。
【図８】図８は、図７の平面図である。
【図９】図９は、図７の一部の部品を示す平面図である。
【図１０】図１０は、図９の正面図である。
【図１１】図１１（ａ），（ｂ）は、２つの砲身ユニットをそれぞれに示す正面図である。
【図１２】図１２は、砲身ユニットの組立を示す正面図である。
【図１３】図１３は、部品を示す正面図である。
【図１４】図１４は、他の組立を示す正面断面図である。
【図１５】図１５は、他の砲身ユニットを示す正面図である。
【図１６】図１３は、他の部品を示す正面図である。
【図１７】図１７は、光銃の組立を示す正面図である。
【図１８】図１８は、各部分の材料の指定を示す正面図である。
【図１９】図１９は、公知の実弾銃を示す断面図である。
【図２０】図２０は、公知のピストル示す斜軸投影図である。
【符号の説明】
１…本体
２…第３軸
４…能動レバー
５…従動レバー
６…第２能動レバー
６−１…固定側第２能動レバー
６−２…非固定側第２能動レバー
７…引き金
８…第１能動レバー
９…指掛かり面
１１…第３軸
１２…第１従動レバー
１３…第２従動レバー又は撃鉄
１４…第１軸
１５…第２軸
１６…第２スプリング
１７…撃鉄受け
１８…第１スプリング
２１…調整器
２２…第３スプリング
２６…玉軸受
５１…戻し器
５４…穴
６１…初期位置調整用螺子
６２…初期位置規定器
６３…トリガ動作引き量規定端子
【図１】
2004012051.tif 000003
【図２】
2004012051.tif 000004
【図３】
2004012051.tif 000005
【図４】
2004012051.tif 000006
【図５】
2004012051.tif 000007
【図６】
2004012051.tif 000008
【図７】
2004012051.tif 000009
【図８】
2004012051.tif 000010
【図９】
2004012051.tif 000011
【図１０】
2004012051.tif 000012
【図１１】
2004012051.tif 000013
【図１２】
2004012051.tif 000014
【図１３】
2004012051.tif 000015
【図１４】
2004012051.tif 000016
【図１５】
2004012051.tif 000017
【図１６】
2004012051.tif 000018
【図１７】
2004012051.tif 000019
【図１８】
2004012051.tif 000020
【図１９】
2004012051.tif 000021
【図２０】
2004012051.tif 000022